(57)【要約】【課題】  実際に視聴者が番組を視聴しているかどうかに基づいて表示部をオン・オフさせることを可能としたテレビジョンセットを提供することを目的とする。【解決手段】  デジタル放送信号を受信する受信部と、受信部で受信したデジタル放送信号から番組を復元して再生する処理部と、処理部で復元した番組のうち映像を表示する表示部と、番組のうち音声を出力する音声出力部と、視聴者の映像を捉えるカメラと、視聴者が表示部を視聴しているかどうか判断する判断部と、判断部により視聴者が表示部を視聴していないと判断した場合に、表示部をオフ状態にし、視聴者が前記表示部を視聴していると判断した場合に、表示部をオン状態にするスイッチとを具備することを特徴とするテレビジョンセット。【選択図】  図２
2006180179.tif 000002
【特許請求の範囲】
【請求項１】
デジタル放送信号を受信する受信部と、
前記受信部で受信したデジタル放送信号から番組を復元して再生する処理部と、
前記処理部で復元した番組のうち映像を表示する表示部と、
前記番組のうち音声を出力する音声出力部と、
視聴者の映像を捉えるカメラと、
前記視聴者が前記表示部を視聴しているかどうか判断する判断部と、
前記判断部により前記視聴者が前記表示部を視聴していないと判断した場合に、前記表示部をオフ状態にし、前記視聴者が前記表示部を視聴していると判断した場合に、前記表示部をオン状態にするスイッチとを具備することを特徴とするテレビジョンセット。
【請求項２】
前記表示部がオフ状態のとき、前記音声出力部はオン状態であることを特徴とする請求項１記載のテレビジョンセット。
【請求項３】
視聴者の顔の映像情報を保存しておくデータベースを具備し、登録した視聴者に応じて表示部のオン状態、オフ状態を制御することを特徴とする請求項１記載のテレビジョンセット。
【発明の詳細な説明】
【技術分野】
【０００１】
本発明は、テレビジョンセットに関する。
【背景技術】
【０００２】
従来、視聴者が眠ってしまうなど、番組を視聴していないにもかかわらずテレビジョンセットの電源がオン状態となったまま放置され電力の不要な消費がなされてしまうという問題がある。この問題を解決するために、特許文献１に提案されているテレビジョンセットは、視聴者が放送番組を視聴していない状態が継続すると、省電力モードに移行する発明が記載されている。
【０００３】
この発明は、デジタルチューナによってデジタル衛星放送から目的とするチャンネルを選曲し、出マルチプレクサによって番組関連情報であるＥＩＴ（Ｅｖｅｎｔ  Ｉｎｆｏｒｍａｔｉｏｎ  Ｔａｂｌｅ）を抽出する。そして制御部ではこのＥＩＴを基に放送番組の切り換わり回数をカウントし、予め定められた切り換わり回数になると、省電力モードに移行するものである。
【０００４】
しかしながら、この方法では、視聴者が実際に視聴しているかどうかの判定が不可能であり、場合によっては、視聴者が番組を視聴しているにもかかわらず省電力モードに移行するという不具合が生じる。
【特許文献１】特開２００３−２９８９７７号公報
【発明の開示】
【発明が解決しようとする課題】
【０００５】
このように従来の視聴者が放送番組を視聴していない場合に省電力モードに移行するものは、実際に視聴者が番組を視聴しているかどうかの判断ができず、場合によっては視聴者が番組を視聴しているにもかかわらず省電力モードに移行するという問題があった。
【０００６】
そこで本発明は、実際に視聴者が番組を視聴しているかどうかに基づいて表示部をオン・オフさせることを可能としたテレビジョンセットを提供することを目的とする。
【課題を解決するための手段】
【０００７】
上記目的を達成するために、本発明は、デジタル放送信号を受信する受信部と、
前記受信部で受信したデジタル放送信号から番組を復元して再生する処理部と、
前記処理部で復元した番組のうち映像を表示する表示部と、
前記番組のうち音声を出力する音声出力部と、
視聴者の映像を捉えるカメラと、
前記視聴者が前記表示部を視聴しているかどうか判断する判断部と、
前記判断部により前記視聴者が前記表示部を視聴していないと判断した場合に、前記表示部をオフ状態にし、前記視聴者が前記表示部を視聴していると判断した場合に、前記表示部をオン状態にするスイッチとを具備することを特徴とするテレビジョンセットを提供する。
【０００８】
こんとき、前記表示部がオフ状態のとき、前記音声出力部はオン状態であってもよい。
【０００９】
また、視聴者の顔の映像情報を保存しておくデータベースを具備し、登録した視聴者に応じて表示部のオン状態、オフ状態を制御してもよい。
【発明の効果】
【００１０】
本発明では、テレビジョンセットに視聴者の視聴状態を監視するためのカメラを設け、カメラからの視聴者の映像をＣＰＵなどの処理装置によって分析し、視線などを判定して表示画面を視認していないと判断した場合、表示部をオフ状態に制御し、再び視認したと判断した場合オン状態に制御する。このようにすることで視聴者が実際に表示部を視認しているときに表示部の電力供給が行われるので省電力化を図ることができる。
【００１１】
このとき音声出力は常にオン状態に設定することで、視聴者は表示画面を視認していない状態でも音声によって番組の進行状態を把握できる。例えばスポーツ番組において歓声が上がったときに表示部を視認すると画像がオン状態となりストレスなく番組を視聴し続けることができる。
【発明を実施するための最良の形態】
【００１２】
以下、本発明の最良の実施形態について説明する。本発明はこれら実施形態に限定されることなく、種々工夫して用いることができる。
【００１３】
図１は、本発明のテレビジョンセットのうちデジタルテレビジョン放送受信に必要なテレビジョン装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１４】
そして、このチューナ４５で選局された放送信号は、ＰＳＫ（Ｐｈａｓｅ  Ｓｈｉｆｔ  Ｋｅｙｉｎｇ）復調器４６に供給されて、デジタルの映像信号及び音声信号に復調された後、信号処理部４７に出力される。
【００１５】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１６】
そして、このチューナ５０で選局された放送信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器５１に供給されて、デジタルの映像信号及び音声信号に復調された後、上記信号処理部４７に出力される。
【００１７】
ここで、上記信号処理部４７は、ＰＳＫ復調器４６から供給されたデジタルの映像信号及び音声信号と、ＯＦＤＭ復調器５１から供給されたデジタルの映像信号及び音声信号とに対して、選択的に所定のデジタル信号処理を施し、グラフィック処理部５４及び音声処理部５５に出力している。
【００１８】
このうち、グラフィック処理部５４は、信号処理部４７から供給されるデジタルの映像信号に、ＯＳＤ（Ｏｎ  Ｓｃｒｅｅｎ  Ｄｉｓｐｌａｙ）信号生成部５７で生成されるＯＳＤ信号を重畳して出力する機能を有する。また、このグラフィック処理部５４は、信号処理部４７の出力映像信号と、ＯＳＤ信号生成部５７の出力であるＯＳＤ信号とを選択的に出力すること、また、両出力をそれぞれ画面の半分を構成するように組み合わせて出力することができる。
【００１９】
そして、グラフィック処理部５４から出力されたデジタルの映像信号は、映像処理部５８に供給される。この映像処理部５８は、入力されたデジタルの映像信号を、映像表示器１４で表示可能なフォーマットのアナログ映像信号に変換し、映像表示器１４に出力して映像表示させる。
【００２０】
また、音声処理部５５は、信号処理部４７から入力されたデジタル音声信号を、スピーカ１５で再生可能なフォーマットのアナログ音声信号に変換し、スピーカ１５に出力して音声再生させる。
【００２１】
ここで、このデジタルテレビジョン放送受信装置１１は、各種の受信動作を含むその全ての動作を制御部６１によって統括的に制御されている。この制御部６１は、ＣＰＵ（Ｃｅｎｔｒａｌ  Ｐｒｏｃｅｓｓｉｎｇ  Ｕｎｉｔ）等を内蔵しており、操作部１６からの操作情報を受け、または、リモートコントローラ１７から送出された操作情報を、受光部１８を介して受信し、その操作内容が反映されるように各部をそれぞれ制御している。
【００２２】
この場合、制御部６１は、主として、そのＣＰＵが実行する制御プログラムを格納したＲＯＭ（Ｒｅａｄ  Ｏｎｌｙ  Ｍｅｍｏｒｙ）６２と、該ＣＰＵに作業エリアを提供するＲＡＭ（Ｒａｎｄｏｍ  Ａｃｃｅｓｓ  Ｍｅｍｏｒｙ）６３と、各種の設定情報及び制御情報等が格納される不揮発性メモリ６４とを利用している。
【００２３】
また、この制御部６１は、カードＩ／Ｆ（Ｉｎｔｅｒｆａｃｅ）６５を介して、第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００２４】
さらに、制御部６１は、カードＩ／Ｆ６７を介して、第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００２５】
また、制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤと、通信Ｉ／Ｆ６９を介して情報伝送を行なうことができる。この場合、制御部６１は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能を有し、第１のＬＡＮ端子２１に接続されたＬＡＮ対応のＨＤＤにＩＰ（Ｉｎｔｅｒｎｅｔ  Ｐｒｏｔｏｃｏｌ）アドレスを割り当てて制御している。
【００２６】
さらに、制御部６１は、通信Ｉ／Ｆ７０を介して第２のＬＡＮ端子２２に接続されている。これにより、制御部６１は、第２のＬＡＮ端子２２に接続された各機器（例えばパーソナルコンピュータや携帯端末、携帯電話など）と、通信Ｉ／Ｆ７０を介して情報伝送を行なうことができる。
【００２７】
また、制御部６１は、ＵＳＢ  Ｉ／Ｆ７１を介してＵＳＢ端子２３に接続されている。これにより、制御部６１は、ＵＳＢ端子２３に接続された各機器（例えばパーソナルコンピュータや携帯端末、携帯電話など）と、ＵＳＢ  Ｉ／Ｆ７１を介して情報伝送を行なうことができる。
【００２８】
さらに、制御部６１は、ｉ．Ｌｉｎｋ  Ｉ／Ｆ７２を介してｉ．Ｌｉｎｋ端子２４に接続されている。これにより、制御部６１は、ｉ．Ｌｉｎｋ端子２４に接続された各機器（例えばパーソナルコンピュータや携帯端末、携帯電話など）と、ｉ．Ｌｉｎｋ  Ｉ／Ｆ７２を介して情報伝送を行なうことができる。
【００２９】
次に、図２を用いて本発明のテレビジョンセットのうち視聴者の視聴状態を把握するためのカメラ、これを制御するための制御部、これにより表示部のオン・オフさせるスイッチを含めた機能について説明する。
【００３０】
図２に示すように、図１でも説明したテレビジョンセット１００は、ＴＶ信号入力部１０６と、このＴＶ信号入力部１０６から入力した信号をデコード処理するデコーダ１０７と、デコーダ１０７からの映像信号が入力され映像を表示する表示部１４と、デコーダ１０７からの音声信号が入力され音声を出力するスピーカ１５を具備している。
【００３１】
さらに、このテレビジョンセット１００は、視聴者を撮影するための監視カメラ２０１と、監視カメラ２０１からの信号を処理するためのＣＰＵ２０２と、ＣＰＵ２０２の制御により映像信号を表示装置１４に与えるオン状態、与えないオフ状態を切り換えるスイッチ２０３からなる映像信号切り換え部２００を具備している。
【００３２】
監視カメラ２０１によって撮影された視聴者の画像は、ＣＰＵにて処理され、視聴者の目、鼻、口などが向いている方向や、視線などを判断し、表示装置１４に向けられている場合は、スイッチ２０３を制御して映像信号を表示装置１４に供給する。視聴者の目、鼻、口や視線が表示装置１４に向けられていないと判断した場合は、映像信号を表示装置１４に供給せず表示装置の電力をオフ状態にする。このように制御することで消費電力を下げることができる。また、このときデコーダ１０７においても映像信号のデコードをオフ状態に制御することでさらに消費電力を下げることができる。
【００３３】
また、目、鼻、口や視線が表示装置１４に向けられていないと判断して一定時間、例えば１秒から３秒まって表示装置１４の電力供給をオフ状態にしてもよい。こうすることで視聴者が一瞬目を離した程度では表示装置１４が消えることはなく、オン・オフ状態を頻繁に発生させることはない。
【００３４】
次に、図３に本発明の映像信号切り換え部２００について、その動作についてフローチャートを用いて説明する。
【００３５】
先ず、視聴者がテレビジョンセットの電源をオンしたとき（ステップＳ１）、画像表示、音声ともにオン状態となる（ステップＳ２）。ここまでは従来のテレビジョンセットと同様の処理を行う。
【００３６】
次に、図２に示すＣＰＵ２０２によって、ユーザの視聴状態を判定する（ステップＳ３）。ここでは例えばテレビジョンセットに設けられた監視カメラによって、視聴者の有無の判定を行い、視聴者がいる場合は、画像処理によって視聴者の顔面部位を検出してその方向から視聴者の眼先を判定し、視聴者のまぶたの状態から視聴をしているかどうか判定する（ステップＳ４）。
【００３７】
このステップにて視聴をしていると判定した場合（Ｙｅｓ）、表示部の電源はオン状態とし、カウンタがカウントアップしていたらカウント値をクリアして、カウンタを停止する。そして視聴状態判定プロセス（ステップＳ３）に戻る。
【００３８】
ステップＳ４にて、視聴していないと判定した場合（Ｎｏ）、カウントを開始し、カウンタ値をアップする（ステップＳ５）。そして、カウンタが設定値以上かどうか判定し（ステップＳ７）、設定値を超えている場合（Ｙｅｓ）、表示部をオフする（ステップＳ８）。このとき音声は出力される省電力モードに移行し、視聴状態判定プロセス（ステップＳ３）に移る。また、カウンタが設定値以上かどうか判定し（ステップＳ７）、カウンタが設定値を超えていない場合（Ｎｏ）、視聴状態判定プロセスに移る（ステップＳ３）。
【００３９】
視聴者によって、電源がオフされた場合（ステップ９）、表示部及び音声もオフとなる（ステップＳ１０）。
【００４０】
また、視聴者の顔の特徴をデータベースに記録しておき、視聴者によってオン・オフ状態の切り換え設定を個別に制御するようにしてもよい。また、特定の視聴者に見せたくない番組を登録しておくと、その人物が見ている間、その番組を見せないように制御することもできる。
【００４１】
このような設定は、家庭内の設定や、放送局からの制御によって設定させることもできる。
【００４２】
また、番組を見ている世代や人数などをデータベース化することも可能となり、視聴人数や視聴者の年代、性別などを放送局側に送ることも可能となる。このように細やかな視聴調査も行うことができる。
【００４３】
また、視聴者の表情を分析することで、視聴者の喜怒哀楽を分析しどれくらい番組を真剣に見ているかどうかの調査も可能となる。
【図面の簡単な説明】
【００４４】
【図１】本発明のテレビジョンセットのテレビジョンに関する主要構成を示すブロック図。
【図２】本発明のテレビジョンセットの映像信号切り換え機能に関する主要構成を示すブロック図。
【図３】本発明の映像信号切り替え機能を説明するためのフローチャート。
【符号の説明】
【００４５】
１１…デジタルテレビジョン放送受信装置
１４…映像表示器
１５…スピーカ
１６…操作部
１７…リモートコントローラ
１８…受光部
１９…第１のメモリカード
２０…第２のメモリカード
２１…第１のＬＡＮ端子
２２…第２のＬＡＮ端子
２３…ＵＳＢ端子
２４…ｉ．Ｌｉｎｋ端子
４３…アンテナ
４４…入力端子
４５…チューナ
４６…ＰＳＫ復調器
４７…信号処理部
４８…アンテナ
４９…入力端子
５０…チューナ
５１…ＯＦＤＭ復調器
５２…チューナ
５３…アナログ復調器
５４…グラフィック処理部
５５…音声処理部
５６ａ、５６ｂ、５６ｃ、５６ｄ…制御端子
５７…ＯＳＤ信号生成部
５８…映像処理部
５９…出力端子
６０…出力端子
６１…制御部
６２…ＲＯＭ
６３…ＲＡＭ
６４…不揮発性メモリ
６５…カードＩ／Ｆ
６６…カードホルダ
６７…カードＩ／Ｆ
６８…カードホルダ
６９…通信Ｉ／Ｆ
７０…通信Ｉ／Ｆ
７１…ＵＳＢ  Ｉ／Ｆ
７２…Ｉ  ｌｉｎｋ  Ｉ／Ｆ
１００…テレビジョンセット
１０６…テレビ信号入力部
１０７…デコーダ
２００…映像信号切り換え部
２０１…監視カメラ
２０２…ＣＰＵ
２０３…スイッチ
【図１】
2006180179.tif 000003
【図２】
2006180179.tif 000004
【図３】
2006180179.tif 000005